(57)【要約】【課題】私達の身の回りにあって公害の発生しないエネルギーとして、引力の利用で働く装置を代替えエネルギーの主題とし、有効で安価な化石燃料等に代わる代替えエネルギ−として提供する。【解決手段】主軸１に固定した駆動円盤４に副軸２を設け、個別に稼働する錘５と９の付いた錘アーム７と８を取り付け、錘アーム７と８を取り付けた別の駆動円盤４との間の錘５と９を挟んだ空間に、筒状の錘誘導環３を配置、固定し、それぞれの錘アーム７と８を介してバネ１３又は緩衝装置により連結し、干渉しながら引力や遠心力が作用する構成とし、錘５と９の主軸１と副軸２からの距離と位置によって、位置エネルギーの違いによる作用力を獲得、作用力を主軸１に加え、加速力という代替えエネルギーを得る。【選択図】図１
2019173743.tif 000002
【特許請求の範囲】
【請求項１】
主軸（１）に固定した駆動円盤（４）に、主軸（１）より一定距離離れた場所に複数の副軸（２）を配置し、その配置した副軸（２）に複数の個別に稼働する錘（５・９）を取り付けた錘アーム（７・８）を装置し、駆動円盤（４）を１枚として１セット、又は別に駆動円盤（４）を１枚加えて１セットとし、駆動円盤（４）と複数の腕（１４）とを置き換え使用する場合もあるが、駆動円盤（４・４）の間に配置された錘（５・９）を挟んだ空間に筒状の錘誘導環（３）を配置、固定し、又、１セットには、主軸（１）に加え、複数の副軸（２）と、それに錘アーム（７）の錘（５）、主軸パイプ（１０）を、錘誘導環（３）の内側に配置し、他方錘アーム（８）の錘（９）を錘誘導環（３）の外側に配置、一つの副軸（２）に取り付けた錘アーム（７）と錘アーム（８）、および駆動円盤（３）と錘アーム（７）は、それぞれバネ（１３）又は緩衝装置により連結し、干渉しながら引力や遠心力に作用する構成とし、錘（５・９）の主軸（１）と副軸（２）からの距離と位置によって、位置エネルギーの違いによる作用力を獲得、副軸（２）を作用点として駆動円盤（４）を加速させ、回転力を主軸（１）に加え、加速エネルギーを得ることを特徴とする加速装置。
【請求項２】
加速を発生させない場合には、錘アーム（７）に配置した錘（５）の空間で、筒状の錘誘導環（３）の中に主軸（１）を覆う主軸パイプ（１０）を置き、錘（５）を主軸パイプ（１０）に着接、錘誘導環（３）の外側に配置した錘（９）は、空間に停止、主軸（１）からの距離を一定とし従動させ、加速発生の場合には、副軸（２）に装置した複数の錘（５・９）の付いた錘アーム（７・８）を個別に稼働させ、錘誘導環（３）の内側に配置した錘（５）が、錘誘導環（３）の内側形状に誘導され、主軸パイプ（１０）に着接する区間と、錘誘導環（３）に寄り添い動作する区間とに変化し、錘誘導環（３）の外に配置した錘（９）が、錘アーム（７・８）に取り付けたバネ（１３）又は緩衝装置によった連結により、錘（５）に寄り添い或いは引き合い、副軸（２）を作用点として駆動円盤（４）を加速させ、回転力を主軸（１）に加えることを特徴とする請求項１記載の加速装置。
【請求項３】
１つの副軸（２）には、複数の個別に稼働する錘アーム（７・８）を装置しているが、錘誘導環（３）の外側に配置した錘アーム（８）の錘（９）は、主軸（１）の真上を通過後、概副軸側に落下加速を加えるが、装置された副軸（２）の真上を通過すると副軸軌道（１５）の外側下方向に倒れ、主軸からより遠い位置に移動し、大きな落下加速を得、バネ（１３）又は緩衝装置により連結した錘アーム（７）を副軸軌道（１５）の方向に引っ張り、同時に錘アーム（８）を保持している副軸（２）に下向きの作用力を増加させ、主軸（１）の真下を通過し、装置された副軸（２）の真下に到達する迄作用し、作用が無くなると副軸（２）に従動し、錘アーム（７）を主軸側に押し加速力を減少させ、この後に一定区間主軸（１）を挟んで１８０度対角に有る錘（９）と、主軸（１）からの距離が大きく異なることを特徴とする請求項１記載の加速装置。
【請求項４】
副軸（２）に取付けた錘誘導環（３）の内側の錘（５）は、主軸（１）の真上を通過後、概副軸側に落下加速を加えるが、錘誘導環（３）の外側に配置した錘（９）の牽引力により錘誘導環（３）の内側に押し付けられ移動し、錘アーム（７）を保持している副軸（２）の真上を通過すると、副軸（２）の真上より愈々離れ、主軸（１）からも離れ落下加速の働きにより、副軸軌道（１５）の外側下方向に加速され、錘誘導環（３）の内側と強く接触、錘（５）に付けたすべり駒（６）により摩擦抵抗を制御しながら、錘アーム（７）を介し錘誘導環（３）の内側を副軸（２）を押しながら滑り落ち、駆動円盤（４）に加速を発生させ、主軸（１）の真下を通過し、先行する副軸（２）の真下に移動して自身の加速を消失するが、その後先行する副軸（２）に追従し、速やかに主軸パイプ（１０）に近づき着接し一体となることを特徴とする請求項１記載の加速装置。
【請求項５】
錘誘導環（３）の内側に配置した錘（５）は、副軸（２）より遠く離れてオフセット配置しており、副軸（２）の真下に位置した時、副軸（２）が主軸（１）の真上を通過する直前となる様に設定し、錘（５）が主軸パイプ（１０）到達後は、副軸（２）の直下に落ち込む位置を確保しようとして、主軸パイプ（１０）に押し付くように着接し、下方向に落下加速しにくく作用し、主軸（１）を挟んで１８０度対角に有る錘（５）と、この後に一定区間主軸（１）からの距離が大きく異なることを特徴とする請求項１記載の加速装置。
【請求項６】
入力された力の与力として、引力によった錘（５・９）の落下加速の作用を有効とするため、主軸回転速度が錘落下速度をなるべく超えない速度で回転する為、入力側、原動機、電動機、電動機や源動機の複合機及び、回転制御装置（ａ）の場所に原動機の燃料供給を調整し、或いは、電動機の電気量を調整し、場合によっては、電動機で発電する装置を追加して回転数を制御し、また出力側、発電機、変速機等出力調整装置（ｂ）の場所には、発電や回転力を利用する装置に供給するためのトルクと出力回転速度を調整する変速装置を設置し、回転、速度、トルク等が調整管理出来る出力装置となることを特徴とする請求項１記載の加速装置。
【請求項７】
落下速度が不充分な場合、遠心力の発生する回転装置等に設置して、引力によった落下方向を、遠心力により発生する外方向の力に置き換え、錘（５・９）の落下方向の速度を増加させ、錘（５・９）の落下速度を増加させ、副軸（２）方向の作用力を増加発生することにより、主軸回転速度の増加を得、且つ遠心力の発生する回転装置に、本案装置を複数設置合力し、発電や回転を調整、維持する動力源と接続装置する事により、引力を落下方向として利用しない、出来ない空間、引力の無い空間などにおいても安定した加速性能を維持発揮することを特徴とする請求項１記載の加速装置。
【発明の詳細な説明】
【技術分野】
【０００１】  本発明は、主軸１に入力された回転力が、主軸１に固定した駆動円盤４上に配置した副軸２に取り付けた複数の錘アーム７と８の錘５と９が、引力や遠心力利用の作用によって、落下加速される力を副軸２を介し主軸１に加える事により、入力された回転力が増加され、主たる機能の装置に加速したエネルギーを与える構造と方法に関する。
【背景技術】
【０００２】  自然の力を利用して回転する装置としては、従来、風力を利用した風車や水力を利用した水車があり、又、最近では太陽光を利用した太陽光発電機の設置も盛んである。以下の先行技術の様に「自然界に普遍的に存在する重力エネルギー及びその重力エネルギーの作用におけるバネの内部エネルギーを利用するものであり、それらのエネルギーを運動エネルギーへと変換させる装置」の提案や、「水平軸を有する円板と、該複数のループ軌道の各々に配設され、上記各ループ軌道内を移動可能な錘を具備し、円板の上記水平軸回りの回転モーメントを一定方向に保って上記円板の回転を持続させる。」ことを特徴とする錘利用の回転装置の提案等が散見する。
【先行技術文献】
【特許文献】
【０００４】
【特許文献１】特許第６１６８５０１号
【特許文献２】特開２０１６−１６０７７１
【特許文献３】特開２０１６−０１７５１９
【発明の概要】
【発明が解決しようとする課題】
【０００５】  風車、水車、太陽光発電機、これらの装置は気候や設置場所の外部要因で稼働率が大きく左右される。従来より発電機等を安定して動かすためには、熱消費の必要なエネルギーが要求され、当然のごとく化石燃料や、核燃料の供給が不可欠であり、特に火力発電は大量の排気ガスを出すため、地球の環境の悪化が報告されている。【０００６】  これら石炭や重油等の化石燃料は有限であり、将来も利用出来るかは未知数であって、それらを動かすために使用された燃料によって発生した酸化物質の汚染対策は遅遅として進んではいない。また平和利用される原子力においては、津波によった放射能災害の発生後、その存在自体、また利用後の放射能物質などが大問題とされている。【０００７】  私達の身の回りにあって公害の発生しないエネルギーとして、引力や永久磁石の利用を研究し、これによった提案も存在するが、引力や永久磁石で働く装置を代替えエネルギーとする全面運用迄には至っていない。また、現在提案されている磁石や引力で動く提案等は、仮に稼働したとしても動力源としては非力であり、製造コストも高額で、その出力は、家庭で使用出来る程度の電気を発生させる能力にも至っていないと考えられ、化石燃料等に代わる代替えエネルギ−の転換とするには課題がある。
【課題を解決するための手段】
【０００８】  上記課題を解決、達成するために、請求項１に記載の発明は、主軸（１）に固定した駆動円盤（４）に、主軸（１）より一定距離離れた場所に複数の副軸（２）を配置し、その配置した副軸（２）に複数の個別に稼働する錘（５・９）を取り付けた錘アーム（７・８）を装置し、駆動円盤（４）を１枚として１セット、又は別に駆動円盤（４）を１枚加えて１セットとし、駆動円盤（４）と複数の腕（１４）とを置き換え使用する場合もあるが、駆動円盤（４・４）の間に配置された錘（５・９）を挟んだ空間に筒状の錘誘導環（３）を配置、固定し、又、１セットには、主軸（１）に加え、複数の副軸（２）と、それに錘アーム（７）の錘（５）、主軸パイプ（１０）を、錘誘導環（３）の内側に配置し、他方錘アーム（８）の錘（９）を錘誘導環（３）の外側に配置、一つの副軸（２）に取り付けた錘アーム（７）と錘アーム（８）、および駆動円盤（３）と錘アーム（７）は、それぞれバネ（１３）又は緩衝装置により連結し、干渉しながら引力や遠心力に作用する構成とし、錘（５・９）の主軸（１）と副軸（２）からの距離と位置によって、位置エネルギーの違いによる作用力を獲得、副軸（２）を作用点として駆動円盤（４）を加速させ、回転力を主軸（１）に加え、加速エネルギーを得ることを特徴とする構造である。【０００９】  請求項２に記載の発明は、上記発明にあって、加速を発生させない場合には、錘アーム（７）に配置した錘（５）の空間で、筒状の錘誘導環（３）の中に主軸（１）を覆う主軸パイプ（１０）を置き、錘（５）を主軸パイプ（１０）に着接、錘誘導環（３）の外側に配置した錘（９）は、空間に停止、主軸（１）からの距離を一定とし従動させ、加速発生の場合には、副軸（２）に装置した複数の錘（５・９）の付いた錘アーム（７・８）を個別に稼働させ、錘誘導環（３）の内側に配置した錘（５）が、錘誘導環（３）の内側形状に誘導され、主軸パイプ（１０）に着接する区間と、錘誘導環（３）に寄り添い動作する区間とに変化し、錘誘導環（３）の外に配置した錘（９）が、錘アーム（７・８）に取り付けたバネ（１３）又は緩衝装置によった連結により、錘（５）に寄り添い或いは引き合い、副軸（２）を作用点として駆動円盤（４）を加速させ、回転力を主軸（１）に加えることを特徴とする構造である。【００１０】  請求項３に記載の発明は、上記発明にあって、１つの副軸（２）には、複数の個別に稼働する錘アーム（７・８）を装置しているが、錘誘導環（３）の外側に配置した錘アーム（８）の錘（９）は、主軸（１）の真上を通過後、概副軸側に落下加速を加えるが、装置された副軸（２）の真上を通過すると副軸軌道（１５）の外側下方向に倒れ、主軸からより遠い位置に移動し、大きな落下加速を得、バネ（１３）又は緩衝装置により連結した錘アーム（７）を副軸軌道（１５）の方向に引っ張り、同時に錘アーム（８）を保持している副軸（２）に下向きの作用力を増加させ、主軸（１）の真下を通過し、装置された副軸（２）の真下に到達する迄作用し、作用が無くなると副軸（２）に従動し、錘アーム（７）を主軸側に押し加速力を減少させ、この後に一定区間主軸（１）を挟んで１８０度対角に有る錘（９）と、主軸（１）からの距離が大きく異なることを特徴とする構造である。【００１１】  請求項４に記載の発明は、上記発明にあって、副軸（２）に取付けた錘誘導環（３）の内側の錘（５）は、主軸（１）の真上を通過後、概副軸側に落下加速を加えるが、錘誘導環（３）の外側に配置した錘（９）の牽引力により錘誘導環（３）の内側に押し付けられ移動し、錘アーム（７）を保持している副軸（２）の真上を通過すると、副軸（２）の真上より愈々離れ、主軸（１）からも離れ落下加速の働きにより、副軸軌道（１５）の外側下方向に加速され、錘誘導環（３）の内側と強く接触、錘（５）に付けたすべり駒（６）により摩擦抵抗を制御しながら、錘アーム（７）を介し錘誘導環（３）の内側を副軸（２）を押しながら滑り落ち、駆動円盤（４）に加速を発生させ、主軸（１）の真下を通過し、先行する副軸（２）の真下に移動して自身の加速を消失するが、その後先行する副軸（２）に追従し、速やかに主軸パイプ（１０）に近づき着接し一体となることを特徴とする構造である。【００１２】  請求項５に記載の発明は、上記発明にあって、錘誘導環（３）の内側に配置した錘（５）は、副軸（２）より遠く離れてオフセット配置しており、副軸（２）の真下に位置した時、副軸（２）が主軸（１）の真上を通過する直前となる様に設定し、錘（５）が主軸パイプ（１０）到達後は、副軸（２）の直下に落ち込む位置を確保しようとして、主軸パイプ（１０）に押し付くように着接し、下方向に落下加速しにくく作用し、主軸（１）を挟んで１８０度対角に有る錘（５）と、この後に一定区間主軸（１）からの距離が大きく異なることを特徴とする構造である。【００１３】  請求項６に記載の発明は、入力された力の与力として、引力によった錘（５・９）の落下加速の作用を有効とするため、主軸回転速度が錘落下速度をなるべく超えない速度で回転する為、入力側、原動機、電動機、電動機や源動機の複合機及び、回転制御装置（ａ）の場所に原動機の燃料供給を調整し、或いは、電動機の電気量を調整し、場合によっては、電動機で発電する装置を追加して回転数を制御し、また出力側、発電機、変速機等出力調整装置（ｂ）の場所には、発電や回転力を利用する装置に供給するためのトルクと出力回転速度を調整する変速装置を設置し、回転、速度、トルク等が調整管理出来る出力装置となることを特徴とする構造である。【００１４】  請求項７に記載の発明は、上記発明にあって、落下速度が不充分な場合、遠心力の発生する回転装置等に設置して、引力によった落下方向を、遠心力により発生する外方向の力に置き換え、錘（５・９）の落下方向の速度を増加させ、錘（５・９）の落下速度を増加させ、副軸（２）方向の作用力を増加発生することにより、主軸回転速度の増加を得、且つ遠心力の発生する回転装置に、本案装置を複数設置合力し、発電や回転を調整、維持する動力源と接続装置する事により、引力を落下方向として利用しない、出来ない空間、引力の無い空間などにおいても安定した加速性能を維持発揮することを特徴とする構造である。
【発明の効果】
【００１５】  本案を駆動するのは原動機、電動機あるいはその複合機であって、入力する力は多彩である。回転数も増減出来、トルクの大小も可能である。それらの力を無駄にせず利用するため、本案の錘の大きさ、錘アームや主軸パイプの長さ、直径、副軸、錘の数等、各部品の大小や数量、回転速度を調整することは重要である。又、引力による場合は、回転速度に制限が生じるが、遠心力によっては回転速度増加が見込め、１つの遠心力の発生する回転装置に源動力の大小に係わらず複数設置する事で、より大きな加速合力が期待出来る。小出力の動力を増速させ大出力化する事が可能である。【００１６】  本発明は、引力並びに遠心力を利用して力を得る構造であることから、動力源を極力小さく押さえ引力並びに遠心力という加速エネルギーによった出力を可能とし、解決すべき課題の原動機を動かす為に使用されていた燃料によって発生する酸化物質が原因とする大気汚染や、陸海の汚染を減少させ、再生可能エネルギーとして利用される自然エネルギーの様に自然現象に影響される事もなく、平和利用される原子力の放射能災害や利用後の放射能物質を今後に発生しない、負の連鎖を断ち切る加速エネルギーとして利用可能という効果を奏する。【００１７】  又、本発明を遠心力の発生する回転装置等に装置する構造は、引力圏内だけでなく、圏外においても場所を選ばず、引力の落下方向を遠心力に置き換えて利用することで、エネルギー装置の設置空間が無く設置出来なかった空間、引力の無い空間などにおいても安定した加速性能を維持発揮するという効果を奏する。
【図面の簡単な説明】
【００１８】
【図１】本発明の実施形態を示し、１案を示した主要部切断面図である。
【図２】本発明の実施形態を示し、１案を示した側面１部切取り図である。
【図３】本発明の実施形態を示し、駆動円盤の変形の正面図である。
【図４】本発明の実施形態を示し、錘アーム固定の１案を示す切断図である。
【図５】本発明の実施形態を示し、錘アーム作動開始図である。
【図６】本発明の副軸４５度の移動図１である。
【図７】本発明の副軸移動図２である。
【図８】本発明の副軸移動図３である。
【図９】本発明の副軸移動図４である。
【図１０】本発明の副軸移動図５である。
【図１１】本発明の副軸移動図６である。
【図１２】本発明の副軸移動図７であり、錘アーム作動開始図である。
【発明を実施するための形態】
【００１９】  以下、本発明の実施形態を図面に基づいて説明する。図１は、本発明に係る加速機の実施形態の一例で主要部切断面図である。加速を加えない時は、駆動円盤４又は複数の腕によった駆動円盤４ａの複数の腕１４が挟む、錘５の配置された空間にあって、錘５が高速で衝突した場合の安定と安全を計るため、外周に衝撃緩衝材を装備した主軸１を覆う主軸パイプ１０に、錘５を着接、外郭と固定した回転しない筒状の錘誘導環３の空間に配置した錘５や、錘誘導環３の外側に配置した錘９は、主軸パイプ１０に寄り添い、主軸１の回転に影響を与えないよう図２で解説するロック金具１１で固定し、主軸１からの距離を一定とし従動する結果、主軸１は、入力された力をそのまま出力側に伝えることが出来る。
【００２０】  図２は、図２以外には図示していないが、図１の提案による錘５と９を主軸１に寄り添い固定する方法として、２Ｂは、錘アーム７と８の副軸２側に窪みを設置して、駆動円盤上に有って、錘アーム７と８と一緒に移動するロック金具１１を、およそ図５から図６の場所ではめ込み作動させ固定し、以後追従する錘アームも差し込んで固定し、又、加速状態とする場合は、２Ａの様に同じくおよそ図５から図６の場所からロック金具１１を解除して開始することにより、無理なく解除出来る。
【００２１】  図３は、主軸１に固定した駆動円盤４に、主軸１より一定距離離れた場所に複数の副軸２を配置した形状で、駆動円盤４によった懸架方式の他に、４ａは複数の腕によった懸架方式、４ｂは円盤と腕の特徴を持った方式であって、その使用条件によって利用する。本案実施形態の駆動円盤４は、実用の他、作図がし易く図面が見易い為の選択でもある。
【００２２】  図４は、本発明に係る加速機の実施形態の主要部切断面図である。本発明に係る加速機実施形態の主軸１を回転中心とし、副軸２を作用点とし、主軸１より等距離、等間隔に複数の副軸２を配置して、複軸２には、錘アーム７と８を装置し、副軸２の移動により配置した錘５と９が、副軸２に作用し落下加速を発生させ、駆動円盤４に加速力を生じさせる構造の図面であって、本発明の１セットは、駆動円盤４を１枚ないし２枚に錘誘導環３と、主軸１、主軸パイプ１０，副軸２、錘アーム７と錘アーム８、錘５と錘９、ロック金具１１を含んだ組み合わせとし、錘重量、回転数、腕の数、長さ、駆動円盤の直径等の条件により駆動円盤４を、片側、又は両側で使用するかを選択し、本案実施形態では強度を担保する構成を優先し、駆動円盤４が両側で、真ん中１枚共有、３枚の駆動円盤と２組の錘誘導環等によった構成で、２セットとする。
【００２３】  図５は、本発明に係る加速機の実施形態で、１つの副軸２に対し、錘アーム７と８と錘５と９が、主軸１の回転により副軸２と共に移動して、図５から以下図１２迄、主軸回転角度により変化することを示す。図５においては、副軸２が主軸１の真上を越え、錘５の反対側に移動していて、副軸２の上に有る錘９は、副軸２を下方向に落下加速して、錘５は下で無く、副軸２の下に移動しようとして主軸１方向、主軸パイプ１０に強く着接している様子を示す。
【００２４】  図６は、本発明に係る加速機の実施形態で、副軸２が更に移動し、外側の錘９が、副軸２の真上を越えようとしていて、越えると外向きに落下し始め、同時に内側錘アーム７の錘５を、接続したバネ１３によって引き起こし錘誘導環３内側に押し付け働く直前で、移動が進むことにより状況が変化することを示す。
【００２５】  図７は、本発明に係る加速機の実施形態で、副軸２が更に移動し、外側の錘９は、副軸２の真上を越えて外向きに移動しており、同時に内側の錘５を接続したバネ１３と釣り合いながら落下し、錘５が副軸２の真上を通過後から強く錘アーム７を介し複軸２を押す直前であることを示し、錘誘導環内の錘が一定区間主軸パイプ１０から離れ落下加速を発生し、副軸２に加速力を加える状況を示す。この後、後続の副軸２も、同じ行程を移動し適時錘５と９は、落下加速を生み、副軸２を介し両側の駆動円盤４・４に加速力を伝える。
【００２６】  図８は、本発明に係る加速機の実施形態で、副軸２が更に移動し、外側の錘９は、内側の錘５と釣り合いながら落下しており、内側の錘５は、副軸真上から外に離れ落下している最中であり、錘誘導環３内側の錘５が落下加速を発生し、副軸２に加速力を加える状況を示す。
【００２７】  図９は、本発明に係る加速機の実施形態で、副軸２が更に移動し、外側の錘９が、副軸２の真下に近づき落下加速を失い慣性で移動し、対し内側の錘誘導環３の内側錘５は、副軸２の真下方向に強く落下していることを示し、副軸２に加速力を加える様子を示す。
【００２８】  図１０は、本発明に係る加速機の実施形態で、副軸２が更に移動し、外側の錘９は、副軸２の真下に有り、副軸２の真下方向に落下加速を始めているが、錘誘導環３の内側の錘５は、慣性も影響し、副軸２の真下まで今少し落下移動しており、又、此処から外側の錘９の位置が、対角に有る外側の錘９（図６）と比して主軸１に近く移動する結果、位置エネルギーの大きさを比して、錘９（図６）の位置エネルギーが大きく駆動円盤４に加速力を加える結果を示す。
【００２９】  図１１は、本発明に係る加速機の実施形態で、副軸２が更に移動し、外側の錘９が副軸２の横に有り副軸２の真下方向に落下加速している時、錘誘導環３の内側の錘５は、副軸２の真下に行き着き、錘９．に押され錘誘導環３を離れ、主軸パイプ１０に移動開始して、副軸２が主軸１の真上に移動以降、錘５と９の落下重量により錘５が主軸パイプに着接する。此処で錘５は、対角に有る錘５（図７から８）に比して主軸１に近く移動する結果、位置エネルギーの大きさを比して、錘５、錘９共に落下加速は弱く、対角に有る錘５と９（図７から８）が強く駆動円盤４に加速力を加える結果を示す。
【００３０】  図１２は、本発明に係る加速機の実施形態で、副軸２が更に移動し、外側の錘９は、主軸１の真上に有り、この先主軸１の真上を通過すると副軸２の真下方向に落下加速して、現回転方向に加重し加速するが、錘誘導環３内側の錘５は、副軸２から遠く、主軸パイプ１０に着接していて、主軸パイプ１０に寄り添いながら移動する。主軸パイプ１０に着接している錘５は、対角に有る錘５（図８）に比して主軸１に極めて近く、位置エネルギーの大きさを比して落下加速は弱く、対角に有る錘５（図８）が強く駆動円盤４に加速力を加えている様子を示す。図１２の時点で主軸１は１回転し、図５の位置に戻った図面となる。
【産業上の利用可能性】
【００３１】  以上の結果、最初に入力した回転力に、本発明で加速力を加えることは容易である。力を小さく押さえ入力して、にもかかわらず回転が大きくなった時に消費電気量を抑えて回転を安定させる。発動機から入力した回転力より回転が大きくなれば燃料を調製することで回転を安定させ省力化に繋げるものであり、加えて出力側の必要なエネルギーに合わせてセット数、錘の重量、本体の大きさを加減すれば、小さな出力により大きな負荷に対応出来る。これは、１つのバッテリーでモーターを駆動させ、本発明を仲介し発電機に接続、駆動するモーターの電気消費より大きな電気を生み出し、２つ以上のバッテリーを充電するエネルギーを取り出すことに他ならない。バッテリーと電、原動機を組み合わせた小さな駆動力から、本案加速機を合成し自動車、船舶その他、産業用機械器具等の搭載蓄電源の代替発電、あるいは蓄電源の充電補助装置として常に駆動する事により、常時使用可能な電気を維持供給出来る可能性が有る。【００３２】  そして、風や太陽光の様に環境に影響を受けない個々の家庭に配置する時間無制限の発電機の動力源の補助装置、あるいは火力、原発に変わる発電機の動力源の補助装置、また、急激な力の変動を期待しない駆動用動力源の補助装置等々、小さな動力を元として目的に応じた加速力を加工して調達出来き、構造的に簡単で組み込みがし易く、安価、設置場所に拘らないこれ迄のエネルギー常識を覆す可能性を秘めた発明である。
【符号の説明】
【００３３】ａ    原動機、電動機、電動機や発動機の複合機及び、回転制御装置
ｂ    発電機、変速機等出力調整装置
１    主軸
２    副軸
３    錘誘導環
４    駆動円盤
４ａ  複数の腕によった駆動円盤
４ｂ  円盤と腕の特徴を持った駆動円盤
５    錘誘導環内側に配置した錘
６    すべり駒
７    錘誘導環内側に配置した錘を支持するアーム
８    錘誘導環外側に配置した錘を支持するアーム
９    錘誘導環外側に配置した錘
１０  主軸パイプ
１１  ロック金具
１２  対面する駆動円盤の副軸位置
１３  バネ
１４  腕
１５  副軸軌道
【図１】
2019173743.tif 000003
【図２】
2019173743.tif 000004
【図３】
2019173743.tif 000005
【図４】
2019173743.tif 000006
【図５】
2019173743.tif 000007
【図６】
2019173743.tif 000008
【図７】
2019173743.tif 000009
【図８】
2019173743.tif 000010
【図９】
2019173743.tif 000011
【図１０】
2019173743.tif 000012
【図１１】
2019173743.tif 000013
【図１２】
2019173743.tif 000014